(57)【要約】  【課題】可視光線領域内の波長を発光する発光ダイオードを冷蔵庫等の庫内照明として使用する場合に、扉開閉に伴う照明装置の温度ストレスを軽減し、照明装置の長寿命化を図ることのできる冷蔵庫を提供する。  【解決手段】照明装置２０が消灯する際には、扉２５が閉状態となった後に照明装置２０の消灯を一定時間遅らせることにより、一定時間内に再び扉２５が開けられた場合には照明装置２０は点灯状態のままであり、消灯が行われないため、点灯・消灯状態の変動に伴う温度変動が少なく、照明装置２０にかかる温度ストレスが軽減され、照明装置の長寿命化を図ることができる。【選択図】図１
2009115372.tif 000002
【特許請求の範囲】
【請求項１】
冷蔵庫内を照射する照明装置として、可視光線領域内の波長を発光する発光ダイオードを実装した実装基板を用いる照明装置と、前記冷蔵庫の扉の開閉を検出する扉開閉検知手段と、制御装置とを備え、前記扉の閉後に前記照明装置の消灯を一定時間遅らせることを特徴とする冷蔵庫。
【請求項２】
前記照明装置の消灯時に、デューティ制御で徐々に消灯させることを特徴とした請求項１に記載の冷蔵庫。
【請求項３】
冷蔵庫内を照射する照明装置として、可視光線領域内の波長を発光する発光ダイオードを実装した実装基板を用いる照明装置と、前記冷蔵庫の扉の開閉を検出する扉開閉検知手段と、制御装置とを備え、前記扉の閉時に前記照明装置の点灯・消灯を行うことを特徴とする冷蔵庫。
【請求項４】
前記照明装置の点灯時・消灯時に、デューティ制御で徐々に点灯・消灯させることを特徴とした請求項３に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図６は特許文献１に記載された従来の製氷機の照明装置の斜視図であり、図７は図６の照明装置を製氷機の庫内天面に設置した概念図を示すものである。
【０００５】
図６の照明装置１００において、実装基板１０１は平板状で、一面または両面に回路パターン（図示せず）が形成され、熱伝導性の良好なエポキシ樹脂系の基板や絶縁金属基板を使用する。白色ＬＥＤ１０２は砲弾状に形成され、ＧａＮ系の青色ＬＥＤからの青色光を用いて蛍光材を励起して白色光を得る構造で、電流を通電する２本の通電端子１０３が導出される。
【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。
【０００７】
図７において、照明装置１００は、製氷機１１１の庫内の天面１１２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、冷蔵庫の扉開閉毎に照明装置の点灯・消灯が繰り返されるため、急激な温度ストレスが照明装置にかかり、照明装置の寿命が短くなるといった課題を有していた。
【００１１】
本発明は、上記従来の課題を解決するもので、冷蔵庫の扉開閉に伴う照明装置の温度ストレスを軽減し、照明装置の長寿命化を図る冷蔵庫を提供することを目的とする。
【課題を解決するための手段】
【００１２】
上記従来の課題を解決するために、本発明の冷蔵庫は、冷蔵庫の扉を閉めた場合に、可視光線領域内の波長を発光する発光ダイオードを実装した実装基板を用いる照明装置の消灯を一定時間遅らせるとしたものである。
【００１３】
これによって、一定時間内に再び扉が開けられた場合には照明装置は点灯状態のままであり、消灯が行われないため、点灯・消灯状態の変動に伴う温度変動が少なく、照明装置にかかる温度ストレスが軽減される。
【００１４】
また、本発明の冷蔵庫は、冷蔵庫の扉が閉状態にある場合に、可視光線領域内の波長を発光する発光ダイオードを実装した実装基板を用いる照明装置の点灯・消灯を行うとしたものである。
【００１５】
これによって、冷蔵庫の扉が閉状態にあっても照明装置は冷却され過ぎることがないため、扉が開けられた場合の点灯時の温度変動が少なく、照明装置にかかる温度ストレスが軽減される。
【発明の効果】
【００１６】
本発明の冷蔵庫は、照明装置にかかる温度ストレスを低減し、照明装置の長寿命化を図ることができる。
【発明を実施するための最良の形態】
【００１７】
請求項１に記載の発明は、冷蔵庫内を照射する照明装置として、可視光線領域内の波長を発光する発光ダイオードを実装した実装基板を用いる照明装置と、前記冷蔵庫の扉の開閉を検出する扉開閉検知手段と、制御装置とを備え、前記扉の閉後に前記照明装置の消灯を一定時間遅らせることにより、一定時間内に再び扉が開けられた場合には前記照明装置は点灯状態のままであり、消灯が行われないため、点灯・消灯状態の変動に伴う温度変動が少なく、前記照明装置にかかる温度ストレスが軽減され、前記照明装置の長寿命化を図ることができる。
【００１８】
請求項２に記載の発明は、請求項１に記載の発明において、前記照明装置の消灯時に、デューティ制御で徐々に消灯させるとしたことにより、消灯時の前記照明装置の温度変化が緩やかになり、前記照明装置にかかる温度ストレスが軽減され、前記照明装置の長寿命化を図ることができる。
【００１９】
請求項３に記載の発明は、冷蔵庫内を照射する照明装置として、可視光線領域内の波長を発光する発光ダイオードを実装した実装基板を用いる照明装置と、前記冷蔵庫の扉の開閉を検出する扉開閉検知手段と、制御装置とを備え、前記扉の閉時に前記照明装置の点灯・消灯を行うことにより、前記冷蔵庫の扉が閉状態にあっても前記照明装置は冷却され過ぎることがないため、前記冷蔵庫の扉が開けられた場合の点灯時の温度変動が少なく、前記照明装置にかかる温度ストレスが軽減され、前記照明装置の長寿命化を図ることができる。
【００２０】
請求項４に記載の発明は、請求項３に記載の発明において、前記照明装置の点灯時・消灯時に、デューティ制御で徐々に点灯・消灯させるとしたことにより、点灯・消灯時の前記照明装置の温度変化が緩やかになり、前記照明装置にかかる温度ストレスが軽減され、前記照明装置の長寿命化を図ることができる。
【００２１】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２２】
（実施の形態１）
以下、本発明の実施の形態１を図１から図４に基づいて説明する。図１は、本発明の実施の形態１における冷蔵庫の断面図である。照明装置２０は、冷蔵室１３内の左側壁面と右側壁面にそれぞれ縦方向に配設されている。扉開閉検知手段２４は機械式スイッチやホールＩＣ等の電子式スイッチで構成され、冷蔵室１３の扉２５の開閉状態を検出する。制御装置２６は基板収納部２８に設置されている。冷凍室ファン１０は冷凍室１１内の冷気を循環させるとともに、ダンパー１２が開状態の場合は冷蔵室１３へも冷気を循環させる。冷蔵室１３に冷気を必要としない場合は、ダンパー１２を閉状態とする。コンプレッサファン１４は機械室１５に設置されたコンプレッサ１６やコンデンサ（図示せず）を空冷する。電磁弁１７は冷却器１８への冷媒の流量を制御する。自動製氷機１９は、製氷皿２１を捻り、離氷動作を行う。温度検出手段２２は冷蔵庫各部の温度を制御装置２６に検知させる。
【００２３】
図２は同実施の形態における照明装置２０の要部縦断面図である。実装基板１は平板状で、一面または両面に回路パターン（図示せず）が形成され、熱伝導性の良好なエポキシ樹脂系の基板や絶縁金属基板を使用される。発光ダイオード２は砲弾状に形成され、ＧａＮ系の青色ＬＥＤからの青色光を用いて蛍光材を励起して白色光を得る構造で、電流を通電する２本の通電端子３が導出される。断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、縦方向に複数個が実装基板１に並設される。尚、発光ダイオード２の発熱量が少ない場合には、断熱板４は廃止しても構わない。
【００２４】
次に縦方向に複数個の発光ダイオードが実装された実装基板１は、冷蔵庫側壁８内に設けられた凹部５に外枠９と一体成型されたスペーサー６によって保持されており、発光ダイオード２の発光部から一定の距離をおいて、ランプカバー７が発光ダイオード２の発光部全体を覆うように冷蔵庫庫内左右壁面に照明装置２０として配設されている。
【００２５】
図３は、本発明の実施の形態１における冷蔵庫のブロック図である。
【００２６】
図３において、制御装置２６内のマイクロコンピュータ３０は、温度検出手段２２より冷蔵庫各部の温度を取得し、冷凍室ファン１０，コンプレッサファン１４、電磁弁１７、自動製氷機１９に駆動指令を出す。電磁弁１７と自動製氷機１９は使用する電流量が大きいため、同時に駆動することがないようにマイクロコンピュータ３０にプログラミングされている。また、扉開閉検知手段２４により扉２５の開閉状態を検出し、開状態の場合は照明装置駆動回路３１により照明装置２０を駆動する。冷凍室ファン１０は冷凍室ファン駆動回路３２により駆動される。冷凍室ファン１０は冷凍室ファン駆動回路３２により、可変速で運転することが可能であり、温度検出手段２２の温度信号よりマイクロコンピュータ３０が冷凍室ファン１０の回転が必要と判断すると、その状態により、高速回転と低速回転を切り替えることができる。コンプレッサファン１４はコンプレッサファン駆動回路３３により駆動される。電磁弁１７は電磁弁駆動回路３４により駆動される。自動製氷機１９は自動製氷機駆動回路３５により駆動される。タイマカウンタ３６はマイクロコンピュータ３０に内蔵され、扉２５が閉状態になってからの経過時間を積算する。
【００２７】
図４は、本発明の実施の形態１における冷蔵庫の扉２５の開閉状態と照明装置２０の駆動制御に関するフローチャートである。
【００２８】
以上のように構成された冷蔵庫について、以下、図３と図４を用いて動作、作用を説明する。
【００２９】
ステップ１０１において扉開閉検知手段２４による扉２５の状態が開状態にある場合は、照明装置駆動回路３１をオンにして照明装置２０の発光ダイオード２を点灯させる（ステップ１０２）。ステップ１０３において、扉開閉検知手段２４による扉２５が開状態を継続している場合は、ステップ１０２に戻り、発光ダイオード２の点灯状態を継続する。ステップ１０３において、扉開閉検知手段２４による扉２５の状態が閉状態を検出すると閉状態になってからの経過時間を積算するタイマカウンタ３６をリセットし（ステップ１０５）、先頭のステップ１００に戻る。
【００３０】
ステップ１０１において扉開閉検知手段２４による扉２５の状態が閉状態にある場合は、ステップ１０６において、タイマカウンタがＴ１秒経過したかを比較し、Ｔ１秒経過していない場合は発光ダイオード２を点灯させたまま、先頭のステップ１００に戻る。ステップ１０６において、タイマカウンタがＴ１秒経過した場合は、照明装置駆動回路３１をオフにして照明装置２０の発光ダイオード２を消灯させる（ステップ１０７）。
【００３１】
以上のように、本実施の形態においては、可視光線領域内の波長を発光する発光ダイオード２を実装した実装基板１を用いる照明装置２０が点灯した後、消灯させる際に、扉２５が閉状態になってからＴ１秒後に消灯させるため、Ｔ１秒以内に再度扉２５が開状態になった場合には照明装置２０は点灯状態のままであり、消灯が行われないため、点灯・消灯状態の変動に伴う温度変動が少なく、照明装置２０にかかる温度ストレスが軽減され、照明装置２０の長寿命化を図ることができる。
【００３２】
また、本実施の形態で、ステップ１０７において発光ダイオード２を消灯させる際に、デューティ制御を行い、徐々に消灯させることにより、消灯時の照明装置２０の温度変化が緩やかになり、照明装置２０にかかる温度ストレスがさらに軽減され、照明装置２０の長寿命化を図ることができる。
【００３３】
（実施の形態２）
図５は、本発明の実施の形態２における冷蔵庫の扉２５の開閉状態と照明装置２０の駆動制御に関するフローチャートである。
【００３４】
なお、前記実施の形態１と同様の構成については詳細な説明は省略する。
【００３５】
以上のように構成された冷蔵庫について、以下、図３と図５を用いて動作、作用を説明する。
【００３６】
ステップ１０１において扉開閉検知手段２４による扉２５の状態が開状態にある場合は、照明装置駆動回路３１をオンにして照明装置２０の発光ダイオード２を点灯させる（ステップ１０２）。ステップ１０３において、扉開閉検知手段２４による扉２５の開状態が継続している場合は、ステップ１０２に戻り、発光ダイオード２の点灯状態を継続する。ステップ１０３において、扉開閉検知手段２４による扉２５の状態が閉状態を検出すると照明装置駆動回路３１をオフにして照明装置２０の発光ダイオード２を消灯させ（ステップ１０８）、タイマカウンタ３６をリセットさせる（ステップ１０９）。
【００３７】
ステップ１０１において扉開閉検知手段２４による扉２５の状態が閉状態にある場合は、ステップ１１０において、タイマカウンタがＴ２秒経過したかを比較し、Ｔ２秒経過していない場合は発光ダイオード２を消灯させたまま、先頭のステップ１００に戻る。ステップ１１０において、タイマカウンタがＴ２秒経過した場合は、ステップ１１１においてタイマカウンタがＴ３秒経過したかを比較し、Ｔ３秒経過していない場合は照明装置駆動回路３１をオンにして発光ダイオード２を点灯させる（ステップ１１４）。ステップ１１１においてタイマカウンタがＴ３秒経過した場合は、照明装置駆動回路３１をオフにして照明装置２０の発光ダイオード２を消灯させ（ステップ１１２）、タイマカウンタをリセットする（ステップ１１３）。
【００３８】
以上のように、本実施の形態においては、扉２５が閉状態にあっても可視光線領域内の波長を発光する発光ダイオード２を実装した実装基板１を用いる照明装置２０の点灯・消灯を行うことにより、扉２５が閉状態にあっても照明装置２０は冷却され過ぎることがないため、扉２５が開けられた場合の照明装置２０の点灯時の温度変動が少なく、照明装置２０にかかる温度ストレスが軽減され、照明装置２０の長寿命化を図ることができる。
【００３９】
また、本実施の形態で、ステップ１１２において発光ダイオード２を消灯させる際およびステップ１１４において発光ダイオード２を点灯させる際、デューティ制御を行い、徐々に点灯・消灯させることにより、点灯時・消灯時の照明装置２０の温度変化が緩やかになり、照明装置２０にかかる温度ストレスがさらに軽減され、照明装置２０の長寿命化を図ることができる。
【産業上の利用可能性】
【００４０】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００４１】
【図１】本発明の実施の形態１における冷蔵庫の断面図
【図２】同実施の形態における照明装置の要部縦断面図
【図３】同実施の形態の冷蔵庫のブロック図
【図４】同実施の形態の冷蔵庫のフローチャート
【図５】本発明の実施の形態２における冷蔵庫のフローチャート
【図６】従来の製氷機の照明装置の斜視図
【図７】図６の照明装置を製氷機の庫内天面に設置した概念図
【符号の説明】
【００４２】
１    実装基板
２    発光ダイオード
２０  照明装置
２４  扉開閉検知手段
２５  扉
２６  制御装置
【図１】
2009115372.tif 000003
【図２】
2009115372.tif 000004
【図３】
2009115372.tif 000005
【図４】
2009115372.tif 000006
【図５】
2009115372.tif 000007
【図６】
2009115372.tif 000008
【図７】
2009115372.tif 000009